(57)【要約】【課題】  ラダー制御回路図と実態配線との相関関係の把握に好適なリレーシーケンス回路素子およびリレーシーケンス回路を提供する。【解決手段】  入力端子１Ａ、１Ｂ間にリレー信号を出力する出力端子２を備えるリレーユニットＣＲと、出力端子５Ａ、５Ｂ間のリレー接点４とリレー接点４を作動させるリレーコイル７とを備え、前記リレーコイル７を前記リレーユニットＣＲの出力端子２よりのリレー信号により作動させるようにした接点ユニットＸと、からリレーシーケンス回路素子を構成し、リレーユニットＣＲと一個以上の接点ユニットＸとをリレー信号線１１、１２により接続して一組とし、ラダー制御回路を構成するよう配線する。【選択図】    図３
2006252240.tif 000002
【特許請求の範囲】
【請求項１】
入力端子間にリレー信号を出力する出力端子を備えるリレーユニットと、
出力端子間のリレー接点とリレー接点を作動させるリレーコイルとを備え、前記リレーコイルを前記リレーユニットの出力端子よりのリレー信号により作動させるようにした接点ユニットと、から構成したことを特徴とするリレーシーケンス回路素子。
【請求項２】
前記リレーユニット同士および／または接点ユニット同士は、互いに連結可能に構成されていることを特徴とする請求項１に記載のリレーシーケンス回路素子。
【請求項３】
前記リレーユニットは、その出力端子に連結して複数の出力端子を接続可能に構成していることを特徴とする請求項１または請求項２に記載のリレーシーケンス回路素子。
【請求項４】
前記リレーユニットおよび／または接点ユニットは、その動作状態を表示するモニタを備えることを特徴とする請求項１から請求項３のいずれか一つに記載のリレーシーケンス回路素子。
【請求項５】
入力端子間にリレー信号を出力する出力端子を備えるリレーユニットと、出力端子間のリレー接点とリレー接点を作動させるリレーコイルとを備え、前記リレーコイルを前記リレーユニットの出力端子よりのリレー信号により作動させるようにした一個以上の接点ユニットとをリレー信号線により接続して一組とし、ラダー制御回路を構成するよう配線したリレーシーケンス回路。
【発明の詳細な説明】
【技術分野】
【０００１】
本発明は、リレーコイルおよびリレー接点部よりなるリレーシーケンス回路素子およびリレーシーケンス回路に関するものである。
【背景技術】
【０００２】
従来からシーケンス回路をリレーコイルとリレー接点部よりなるリレー素子により構成するリレーシーケンス回路は知られている（特許文献１参照）。
【０００３】
これは、リレーコイルとリレー接点部とが一体化されたリレー素子を利用して、ラダーシーケンス回路を構成している。
【特許文献１】特開２０００−８４９９０号公報
【発明の開示】
【発明が解決しようとする課題】
【０００４】
しかしながら、上記従来例に示すようなリレーシーケンス回路では、リレーコイルとリレー接点部とが一体化されたリレー素子を用いるものであるため、ラダー制御回路図と実態配線とがかなり異なり、ラダー制御回路図から実態配線がイメージでき難く、実態配線作業を正確にでき難いという問題があった。また、同様の理由により、実態配線からラダー制御回路がイメージでき難く、回路不良個所や異常個所の特定作業ができ難いという問題があった。
【０００５】
そこで本発明は、上記問題点に鑑みてなされたもので、ラダー制御回路図と実態配線との相関関係の把握に好適なリレーシーケンス回路素子およびリレーシーケンス回路を提供することを目的とする。
【課題を解決するための手段】
【０００６】
本発明は、入力端子間にリレー信号を出力する出力端子を備えるリレーユニットと、出力端子間のリレー接点とリレー接点を作動させるリレーコイルとを備え、前記リレーコイルを前記リレーユニットの出力端子よりのリレー信号により作動させるようにした接点ユニットと、からリレーシーケンス回路素子を構成した。
【発明の効果】
【０００７】
したがって、本発明では、入力端子間にリレー信号を出力する出力端子を備えるリレーユニットと、出力端子間のリレー接点とリレー接点を作動させるリレーコイルとを備え、前記リレーコイルを前記リレーユニットの出力端子よりのリレー信号により作動させるようにした接点ユニットと、からリレーシーケンス回路素子を構成したため、ラダー制御回路図と実態配線との相関関係の把握が容易となる。
【発明を実施するための最良の形態】
【０００８】
以下、本発明のリレーシーケンス回路素子およびリレーシーケンス回路の一実施形態を図１〜図５に基づいて説明する。図１および図２は本発明を適用したリレーシーケンス回路素子のリレーユニットと接点ユニットの概略構成図、図３は図１および図２のリレーシーケンス回路素子を用いたリレーシーケンス配線の実態配線図、図４は図３のラダー制御回路図、図５はリレーシーケンス回路素子の増設ユニットの概略構成図である。
【０００９】
本発明を適用したリレーシーケンス回路素子は、図１に示すリレーユニットＣＲと、図２に示す接点ユニットＸとにより構成されている。
【００１０】
図１に示す前記リレーユニットＣＲは、電源ラインＰ、Ｎ間において、直列に接続される指令ボタン、リミットスイッチまたはリレースイッチ等の動作信号に応じて作動してリレー信号を、後述する接点ユニットＸに出力するものである。このため、正負の入力端子１Ａ、１Ｂ間にリレー信号を出力するプラス端子２Ａとマイナス端子２Ｂとを備えた出力端子２を必要数（図示例では、２出力）だけ並列に配列させて備える。また、入力端子１Ａ、１Ｂ間には、リレー信号が出力されている間に点灯するＬＥＤ等のモニタ３が直列に接続されている。
【００１１】
図２に示す前記接点ユニットＸは、電源ラインＰ、Ｎ間において、前記リレーユニットＣＲよりのリレー信号によりオン動作および／またはオフ動作するリレー接点４Ａ、４Ｂを構成している。これらのリレー接点４Ａ、４Ｂは、オン動作接点４Ａとオフ動作接点４Ｂとが出力端子５Ａ、５Ｂ間に並列に配置され、いずれか一方の接点４Ａまたは４Ｂをスイッチ６等により選択することによりいずれか一方の機能を発揮させるようにしている。前記オン動作接点４Ａとオフ動作接点４Ｂとは、前記スイッチ６を切換えることにより、他方の機能を発揮させるようにすることもできる。
【００１２】
また、前記接点ユニットＸは、前記リレー接点４Ａ、４Ｂを作動させるためのコイル７を備える。そして、前記コイル７の両端はプラス端子８Ａとマイナス端子８Ｂとで一対となった入力端子８に接続され、この一対の入力端子８には前記リレーユニットＣＲの出力端子２のプラス端子２Ａとマイナス端子２Ｂとを図示しないリレー配線で接続する。また、入力端子８Ａ、８Ｂ間には、リレー信号が入力されてリレーコイル７が動作している間に点灯するＬＥＤによるモニタ９が直列若しくは並列に接続されている。
【００１３】
上記したリレーユニットＣＲおよび接点ユニットＸは、図３に示すように、実態配線において配置される。図４は図３のラダー制御回路図である。
【００１４】
図４に示すように、指令スイッチ１０がオン作動されるとリレーＣＲ１が作動され、リレー接点Ｘ１ａ、Ｘ１ｂがオン作動され、リレー接点Ｘ１ａのオン動作によりリレーＣＲ２が作動され、リレー接点Ｘ２がオン作動し、リレーＣＲ３が作動するよう構成している。
【００１５】
図３の実態配線においては、前記リレーＣＲ１に相当する位置にリレーユニットＣＲ１を配置し、リレー接点Ｘ１ａに相当する位置に接点ユニットＸ１ａを配置し、リレー接点Ｘ１ｂに相当する位置に接点ユニットを配置し、リレーユニットＣＲ１と接点ユニット、をリレー信号線１１により接続している。また、前記リレーＣＲ２に相当する位置にリレーユニットＣＲ２を配置し、リレー接点Ｘ２に相当する位置に接点ユニットＸ２を配置し、リレーユニットＣＲ２と接点ユニットＸ２、をリレー信号線１２により接続している。さらに、前記リレーＣＲ３に相当する位置にリレーユニットＣＲ３を配置している。
【００１６】
図３に示すように、本実施形態におけるリレーユニットＣＲと接点ユニットＸとで構成した実態配線は、図４に示すラダー制御回路図と配置形態が同じ形態とでき、各ユニットの機能を明確に示している。また、リレーユニットＣＲと接点ユニットＸとの相関関係もリレー信号線１１、１２により明確となる。このため、その配線作業をラダー制御回路図を参照しつつ容易に配線することができ、その調整作業も効率化できる。また、メンテナンスにおいても、ラダー制御回路図を確認することなく、実態配線を見るだけで、各ユニットの機能を理解できるため、回路不良個所や異常個所の特定作業が容易である。また、各ユニットに設けたモニタ３、９の点灯状態を確認することによって、より一層メンテナンスが容易となる。
【００１７】
また、電源ラインＰ、Ｎ間に複数のユニットを配置する場合には、リレーユニットＣＲ２と接点ユニットＸ１ａのように、また、リレーユニットＣＲ３と接点ユニットＸ１ｂ、Ｘ２のように、ユニット同士を連結して行けばよいので、ユニット間の配線が簡略化でき、誤配線も防止できる。また、リレーユニットＣＲと関連する接点ユニットＸとは、リレー信号線１１、１２により接続するものであるため、リレー信号線１１、１２はその機能を一義的に示しており、誤配線を防止できる。
【００１８】
図３において、リレーユニットＣＲ１では、２個の接点ユニットＸ１ａ、Ｘ１ｂに対してリレー信号線１１を出力するものであるが、３個以上の接点ユニットに対してリレー信号を出力する必要がある場合には、図５に示すように、複数の出力端子２２〜２５を装備した接点増設ユニット２１をリレーユニットＣＲの出力端子２に連結して対応する。このように、回路変更などにより多くの接点ユニットＸを備えることとなっても、新たにリレーユニットＣＲを直列に配置することなく、出力端子２を増設するのみで対応でき、追加の配線が少なくて済み、改造が容易である。
【００１９】
本実施形態においては、以下に記載する効果を奏することができる。
【００２０】
（ア）入力端子１Ａ、１Ｂ間にリレー信号を出力する出力端子２を備えるリレーユニットＣＲと、出力端子５Ａ、５Ｂ間のリレー接点４とリレー接点４を作動させるリレーコイル７とを備え、前記リレーコイル７を前記リレーユニットＣＲの出力端子２よりのリレー信号により作動させるようにした接点ユニットＸと、からリレーシーケンス回路素子を構成したため、リレーユニットＣＲと一個以上の接点ユニットＸとをリレー信号線１１、１２により接続して一組とし、ラダー制御回路を構成するよう配線すると、ラダー制御回路図と同じ形態で実態の配線ができ、ラダー制御回路図と実態配線との相関関係の把握が容易となり、製作時の間違いを減少でき、また、調整時の効率を上げることができる。
【００２１】
（イ）リレーユニットＣＲ同士および／または接点ユニットＸ同士を、互いに連結可能に構成しているため、配線を減らすことができ、リレーユニットＣＲと接点ユニットＸを信号線により接続するという単純な作業により誤配線を減らすことができる。
【００２２】
（ウ）リレーユニットＣＲは、その出力端子２に連結して複数の出力端子２２〜２５を接続可能であるため、回路変更で、接点ユニットＸが多く使われることになり、出力端子２が不足しても、出力端子２の増設が容易であり、追加の配線が少なくでき、改造が容易である。
【００２３】
（エ）リレーユニットＣＲおよび／または接点ユニットＸは、その動作状態を表示するモニタ３、９を備えるため、回路不良個所や異常個所の特定作業が、各ユニットに設けたモニタ３、９の点灯状態を確認することによって、より一層メンテナンスが容易となる。
【図面の簡単な説明】
【００２４】
【図１】本発明の一実施形態を示すリレーシーケンス回路素子であるリレーユニットの概略構成図。
【図２】同じくリレーシーケンス回路素子である接点ユニットの概略構成図。
【図３】図１および図２のリレーシーケンス回路素子を用いたリレーシーケンス配線の実態配線図。
【図４】図３のラダー制御回路図。
【図５】リレーシーケンス回路素子の増設ユニットの概略構成図。
【符号の説明】
【００２５】
ＣＲ、ＣＲ１、ＣＲ２  リレーユニット
Ｘ、Ｘ１ａ、Ｘ１ｂ、Ｘ２  接点ユニット
１Ａ、１Ｂ、８、８Ａ、８Ｂ  入力端子
２、２Ａ、２Ｂ、５Ａ、５Ｂ  出力端子
４、４Ａ、４Ｂ  リレー接点
３、９  モニタ
６  スイッチ
７  リレーコイル
１１、１２  リレー信号配線
【図１】
2006252240.tif 000003
【図２】
2006252240.tif 000004
【図３】
2006252240.tif 000005
【図４】
2006252240.tif 000006
【図５】
2006252240.tif 000007